(57)【要約】【課題】釣銭機の機能改修に伴って上位装置の改修を行わない場合に、効率良く不測のトラブルを未然に防止することを課題とする。【解決手段】ＰＯＳレジ２９０及び釣銭機２００は、それぞれ設定の変更や機能の追加などが可能である。図１（ａ）ではＰＯＳレジ２９０及び釣銭機２００が動作モードＡと動作モードＢのいずれかで動作可能な状態において、釣銭機２００に動作モードＣが新規に追加されている。図１（ｂ）に示すように、ＰＯＳレジ２９０及び釣銭機２００を起動すると、ＰＯＳレジ２９０は起動時の動作として釣銭機２００に対して動作モードＡへの設定変更を要求するコマンドを送信する。釣銭機２００は、動作モードＡへの設定を要求するコマンドを受信した場合には、動作モードＣの選択を維持したまま、ＰＯＳレジ２９０に対して動作モードＡへの設定変更を完了した旨の擬似的な正常応答（ダミー応答）を返す。【選択図】図１
2018185755.tif 000002
【特許請求の範囲】
【請求項１】
上位装置と通信可能に設けられた釣銭機であって、
前記上位装置から設定変更コマンドを受信する受信部と、
前記設定変更コマンドによる設定変更を行わない場合に、前記設定変更コマンドに応じた設定変更を完了した旨の擬似的な正常応答を前記上位装置に通知する疑似応答通知部と
を備えたことを特徴とする釣銭機。
【請求項２】
前記疑似応答通知部は、
前記設定変更コマンドが前記上位装置の起動時に自動送信される設定変更コマンドであることを条件として、前記設定変更コマンドによる設定変更を行わない場合に、前記設定変更コマンドに応じた設定変更を完了した旨の擬似的な正常応答を前記上位装置に通知する
ことを特徴とする請求項１に記載の釣銭機。
【請求項３】
前記受信部が前記上位装置から設定変更コマンドを受信する時刻に基づいて、前記設定変更コマンドが前記上位装置の起動時に自動送信される設定変更コマンドであるか否かを判定する第１の判定部
をさらに備えたことを特徴とする請求項２に記載の釣銭機。
【請求項４】
前記上位装置の状態を取得する状態取得部と、
前記状態取得部により取得された上位装置の状態に基づいて、前記設定変更コマンドが前記上位装置の起動時に自動送信される設定変更コマンドであるか否かを判定する第２の判定部と
をさらに備えたことを特徴とする請求項２に記載の釣銭機。
【請求項５】
前記設定変更コマンドが、前記上位装置の起動時に自動送信される設定変更コマンドでない場合に、前記設定変更コマンドに応じた設定変更処理を行う設定変更処理部と、
前記設定変更処理部により設定変更処理の完了後に、正常応答を前記上位装置に通知する正常応答通知部と
をさらに備えたことを特徴とする請求項２〜４のいずれか一つに記載の釣銭機。
【請求項６】
前記設定変更コマンドは、少なくとも釣銭機の各種ボタンの有効又は無効の設定を含むコマンドであることを特徴とする請求項１〜５のいずれか一つに記載の釣銭機。
【請求項７】
上位装置と、該上位装置と通信可能に設けられた釣銭機とを通信可能に接続した貨幣処理システムであって、
前記釣銭機は、
前記上位装置から設定変更コマンドを受信する受信部と、
前記設定変更コマンドによる設定変更を行わない場合に、前記設定変更コマンドに応じた設定変更を完了した旨の擬似的な正常応答を前記上位装置に通知する疑似応答通知部と
を備えたことを特徴とする貨幣処理システム。
【請求項８】
上位装置と、該上位装置と通信可能に設けられた釣銭機とを通信可能に接続した貨幣処理システムにおける動作設定方法であって、
前記釣銭機が、前記上位装置から設定変更コマンドを受信する受信工程と、
前記設定変更コマンドによる設定変更を行わない場合に、前記設定変更コマンドに応じた設定変更を完了した旨の擬似的な正常応答を前記上位装置に通知する疑似応答通知工程と
を含んだことを特徴とする動作設定方法。
【発明の詳細な説明】
【技術分野】
【０００１】
本発明は、釣銭機の機能改修に伴って上位装置の改修を行わない場合に、効率良く不測のトラブルを未然に防止することができる釣銭機、貨幣処理システム及び動作設定方法に関する。
【背景技術】
【０００２】
従来、コンビニエンスストアやスーパーマーケット等の各種店舗には、販売時点管理機能を有する金銭登録機（以下、「ＰＯＳレジ」と言う）と、このＰＯＳレジと通信可能に接続された貨幣処理装置（以下、「釣銭機」と言う）とが通信可能に配設されている。
【０００３】
ここで、ＰＯＳレジから釣銭機に対してコマンドを送り、当該コマンドに応じた動作を釣銭機にさせる技術が知られている（特許文献１等を参照）。例えば、ＰＯＳレジの起動時に、ＰＯＳレジから釣銭機に対して設定変更コマンドを送信し、釣銭機が該設定変更コマンドに応じた設定を行うこととなる。
【先行技術文献】
【特許文献】
【０００４】
【特許文献１】特開平１０−１１６６６号公報
【発明の概要】
【発明が解決しようとする課題】
【０００５】
このように、ＰＯＳレジと釣銭機は連携して各種の処理を行うため、釣銭機に対して新たな機能を追加する場合には、該機能追加に応じたＰＯＳレジの改修を行う必要がある。ＰＯＳレジの改修を行わないと、ＰＯＳレジからの設定変更コマンドに応答して釣銭機から送信される応答がＰＯＳレジにとって未知の応答となり、ＰＯＳレジがフリーズしてしまう可能性があるためである。
【０００６】
しかしながら、釣銭機に新たな機能を追加する場合に、該機能追加に伴うＰＯＳレジの改修を行うこととすると、多大の改修時間を要するとともに改修コストが嵩むという問題がある。また、店舗としては現行のＰＯＳレジに特段の異常が無い限り、そのまま利用することが望まれる。
【０００７】
これらのことから、釣銭機の機能改修（新規機能追加を含む）に伴ってＰＯＳレジ等の上位装置の改修を行わない場合に、いかにして効率良く不測のトラブルを未然に防止するかが重要な課題となっている。かかる課題は、釣銭機に新たな機能追加を行う場合だけではなく、既存機能の改修等を行う場合にも同様に生ずる課題である。
【０００８】
本発明は、上記従来技術の課題を解決するためになされたものであって、釣銭機の機能改修に伴って上位装置の改修を行わない場合に、効率良く不測のトラブルを未然に防止することができる釣銭機、貨幣処理システム及び動作設定方法を提供することを目的とする。
【課題を解決するための手段】
【０００９】
上述した課題を解決し、目的を達成するため、本発明は、上位装置と通信可能に設けられた釣銭機であって、前記上位装置から設定変更コマンドを受信する受信部と、前記設定変更コマンドによる設定変更を行わない場合に、前記設定変更コマンドに応じた設定変更を完了した旨の擬似的な正常応答を前記上位装置に通知する疑似応答通知部とを備えたことを特徴とする。
【００１０】
また、本発明は、上記発明において、前記疑似応答通知部は、前記設定変更コマンドが前記上位装置の起動時に自動送信される設定変更コマンドであることを条件として、前記設定変更コマンドによる設定変更を行わない場合に、前記設定変更コマンドに応じた設定変更を完了した旨の擬似的な正常応答を前記上位装置に通知することを特徴とする。
【００１１】
また、本発明は、上記発明において、前記受信部が前記上位装置から設定変更コマンドを受信する時刻に基づいて、前記設定変更コマンドが前記上位装置の起動時に自動送信される設定変更コマンドであるか否かを判定する第１の判定部をさらに備えたことを特徴とする。
【００１２】
また、本発明は、上記発明において、前記上位装置の状態を取得する状態取得部と、前記状態取得部により取得された上位装置の状態に基づいて、前記設定変更コマンドが前記上位装置の起動時に自動送信される設定変更コマンドであるか否かを判定する第２の判定部とをさらに備えたことを特徴とする。
【００１３】
また、本発明は、上記発明において、前記設定変更コマンドが、前記上位装置の起動時に自動送信される設定変更コマンドでない場合に、前記設定変更コマンドに応じた設定変更処理を行う設定変更処理部と、前記設定変更処理部により設定変更処理の完了後に、正常応答を前記上位装置に通知する正常応答通知部とをさらに備えたことを特徴とする。
【００１４】
また、本発明は、上記発明において、前記設定変更コマンドは、少なくとも釣銭機の各種ボタンの有効又は無効の設定を含むコマンドであることを特徴とする。
【００１５】
また、本発明は、上位装置と、該上位装置と通信可能に設けられた釣銭機とを通信可能に接続した貨幣処理システムであって、前記釣銭機は、前記上位装置から設定変更コマンドを受信する受信部と、前記設定変更コマンドによる設定変更を行わない場合に、前記設定変更コマンドに応じた設定変更を完了した旨の擬似的な正常応答を前記上位装置に通知する疑似応答通知部とを備えたことを特徴とする。
【００１６】
また、本発明は、上位装置と、該上位装置と通信可能に設けられた釣銭機とを通信可能に接続した貨幣処理システムにおける動作設定方法であって、前記釣銭機が、前記上位装置から設定変更コマンドを受信する受信工程と、前記設定変更コマンドによる設定変更を行わない場合に、前記設定変更コマンドに応じた設定変更を完了した旨の擬似的な正常応答を前記上位装置に通知する疑似応答通知工程とを含んだことを特徴とする。
【発明の効果】
【００１７】
本発明によれば、釣銭機の機能改修に伴って上位装置の改修を行わない場合に、効率良く不測のトラブルを未然に防止することができる。
【図面の簡単な説明】
【００１８】
【図１】図１は、本発明に係る貨幣処理システムの概念を説明するための説明図である。
【図２】図２は、釣銭機及びＰＯＳレジの外観構成を示す斜視図である。
【図３】図３は、釣銭機における紙幣処理ユニットの内部構成を示す図である。
【図４】図４は、釣銭機における硬貨処理ユニットの内部構成を示す図である。
【図５】図５は、図２に示した釣銭機の機能ブロック図である。
【図６】図６は、釣銭機の処理手順を説明するフローチャートである。
【図７】図７は、条件に基づく応答の制御についての説明図である。
【図８】図８は、条件に基づく応答の制御を行う場合の釣銭機の処理手順を説明するフローチャートである。
【図９】図９は、応答履歴の管理と利用についての説明図である。
【発明を実施するための形態】
【実施例】
【００１９】
以下、添付図面を参照して、本実施例に係る釣銭機、貨幣処理システム及び動作設定方法の実施例を説明する。本実施例では、コンビニエンスストアやスーパーマーケット等の店内に配設された貨幣処理システムに本発明を適用した場合を示すこととする。
【００２０】
＜本発明に係る貨幣処理システムの概念＞
図１は、本発明に係る貨幣処理システムの概念を説明するための説明図である。コンビニエンスストアやスーパーマーケット等の店舗内には、顧客による商品の購入に伴って、その商品データが入力される金銭登録機であるＰＯＳレジ２９０と、このＰＯＳレジ２９０に接続され、顧客から店員が受け取った現金に応じた釣銭を出金すると共に受け取った現金を収納する釣銭機２００が設置されている。
【００２１】
ＰＯＳレジ２９０及び釣銭機２００は、それぞれ設定の変更や機能の追加などが可能である。図１（ａ）ではＰＯＳレジ２９０及び釣銭機２００が動作モードＡと動作モードＢのいずれかで動作可能な状態において、釣銭機２００に動作モードＣが新規に追加された場合を示している。
【００２２】
このように、釣銭機２００のみに動作モードＣの追加が行われると、釣銭機２００はＰＯＳレジ２９０が対応していない動作モードで動作可能な状態となる。
【００２３】
かかる状態で、図１（ｂ）に示すように、ＰＯＳレジ２９０及び釣銭機２００を起動すると、ＰＯＳレジ２９０は起動時の動作として釣銭機２００に対して動作モードＡへの設定変更を要求するコマンドを送信する。ここで、釣銭機２００がＰＯＳレジ２９０からのコマンドに応じて動作モードＡへの変更を実行すると、操作者が本来意図していた動作モードＣでの動作を行うことができない。また、釣銭機２００が動作モードＣで動作するために設定変更ができない旨の応答を返したならば、ＰＯＳレジ２９０は自装置に設定されていない未知の応答を受けることとなり、その後の動作を適正におこなうことができない。
【００２４】
そこで、本実施例にかかる釣銭機２００は、動作モードＡへの設定を要求するコマンドを受信した場合には、動作モードＣの選択を維持したまま、ＰＯＳレジ２９０に対して動作モードＡへの設定変更を完了した旨の擬似的な正常応答（ダミー応答）を返す。
【００２５】
釣銭機２００がＰＯＳレジ２９０からのコマンドに対してダミー応答を返すことで、釣銭機２００は動作モードＣでの動作が可能であり、ＰＯＳレジ２９０は動作モードＣに関する設定を行うことなく適正に動作することができる。
【００２６】
このように、釣銭機２００は、ＰＯＳレジ２９０からコマンドを受信し、受信したコマンドに応じた処理を行わない場合に、コマンドに応じた処理を完了した旨の擬似的な正常応答をＰＯＳレジ２９０に送信する。かかる構成により、釣銭機２００の機能改修（新規機能追加を含む）に伴ってＰＯＳレジ２９０の改修を行わない場合であっても、効率良く不測のトラブルを未然に防止することができる。
【００２７】
＜釣銭機２００の構成＞
次に、釣銭機２００の詳細な構成について図２〜図５を用いて説明する。図２等に示すように、本実施例１による釣銭機２００は、硬貨処理ユニット２５０と、硬貨処理ユニット２５０の隣に並ぶよう配置された紙幣処理ユニット２１０とを備えており、紙幣処理ユニット２１０や硬貨処理ユニット２５０の上方にはＰＯＳレジ２９０が載置される。紙幣処理ユニット２１０及び硬貨処理ユニット２５０は、それぞれ硬貨や紙幣の入出金処理を行う。また、ＰＯＳレジ２９０は、釣銭機２００の管理を行う管理装置として用いられる。
【００２８】
まず、紙幣処理ユニット２１０の構成について図２及び図３を用いて具体的に説明する。図２及び図３に示すように、紙幣処理ユニット２１０は、略直方体形状の筐体２１２を有し、筐体２１２の前面に紙幣受入部２２２、紙幣払出部２２０、出金リジェクト部２２４及びカセット装着部２２６が配置されている。
【００２９】
紙幣受入部２２２は、操作者による紙幣の投入を受け付け、紙幣処理ユニット２１０の内部に取り込む処理部である。紙幣払出部２２０は、紙幣処理ユニット２１０の内部から紙幣を払い出す処理部である。
【００３０】
カセット装着部２２６は、売上金の回収や釣銭の補充に用いる収納カセットを着脱可能である。出金リジェクト部２２４は、金種が識別できない等、出金に適さない紙幣を内部に集積する。
【００３１】
また、紙幣処理ユニット２１０は、筐体２１２の内部で紙幣を１枚ずつ搬送する搬送部２３０と、筐体２１２の内部で紙幣を収納するとともに収納されている紙幣を繰出可能な複数の紙幣収納部２３４、２３６、２３８とを備える。なお、図３において、筐体２１２の下側の側面が紙幣処理ユニット２１０の手前側の面であり、図３における上向きの方向が紙幣処理ユニット２１０の奥行き方向である。
【００３２】
図３に示すように、搬送部２３０は、筐体２１２の中央位置に配置された周回搬送部２３０ａ及び複数の接続搬送部２３０ｂから構成されている。また、紙幣受入部２２２、紙幣払出部２２０、出金リジェクト部２２４、収納カセット３００を着脱自在に装着可能なカセット装着部２２６及び３つの紙幣収納部２３４、２３６、２３８が、それぞれ周回搬送部２３０ａを取り囲むよう配置されている。
【００３３】
また、図３に示すように、複数の接続搬送部２３０ｂの各々により、紙幣受入部２２２、紙幣払出部２２０、出金リジェクト部２２４、カセット装着部２２６及び３つの紙幣収納部２３４、２３６、２３８の各々と、周回搬送部２３０ａとの間がそれぞれ接続される。また、周回搬送部２３０ａには識別部２３２が設けられており、この識別部２３２は、周回搬送部２３０ａにより搬送される紙幣の金種、真偽、正損、表裏、搬送状態等の識別を行う。
【００３４】
周回搬送部２３０ａは、図３における時計回りの方向及び反時計回りの方向の両方向に紙幣を１枚ずつ搬送することができる。また、搬送部２３０において、周回搬送部２３０ａと各接続搬送部２３０ｂとの間で紙幣の搬送経路を切り換える経路切換部（図示せず）が、周回搬送部２３０ａに沿って配置されている。
【００３５】
図２及び図３に示すように、筐体２１２の前面には、紙幣受入部２２２の紙幣受入口と紙幣払出部２２０の紙幣取出口とが設けられている。また、カセット装着部２２６は、収納カセット３００の装着と取り外しが可能である。
【００３６】
紙幣受入部２２２には紙幣繰出機構２２１が設けられており、入出金口に１枚あるいは複数枚の紙幣が投入されたことが検知されると、紙幣繰出機構２２１が駆動されることにより紙幣が接続搬送部２３０ｂを介して周回搬送部２３０ａ側へ１枚ずつ繰り出される。
【００３７】
また、紙幣払出部２２０は、各紙幣収納部２３４、２３６、２３８から周回搬送部２３０ａに繰り出された紙幣を紙幣取出口により筐体２１２の外部へ放出するよう構成されている。
【００３８】
出金リジェクト部２２４は、出金処理時において各紙幣収納部２３４、２３６、２３８から繰り出された紙幣のうち、重送や斜行等の搬送異常により識別部２３２で識別することができない紙幣を出金リジェクト紙幣として収納する。また、紙幣受入部２２２から筐体２１２の内部に取り込まれた紙幣のうち、入金処理時において汚損等により識別部２３２で識別することができない紙幣は、入金リジェクト紙幣として紙幣払出部２２０に返却される。
【００３９】
各紙幣収納部２３４、２３６、２３８は、識別部２３２の識別結果に基づいて紙幣を金種別に収納する。これらの紙幣収納部２３４、２３６、２３８には、紙幣処理ユニット２１０に入金された売上金としての紙幣や釣銭として出金されるべき紙幣が収納される。例えば、紙幣収納部２３４には１０００円札が収納され、紙幣収納部２３６には５０００円札が収納され、紙幣収納部２３８には１００００円札が収納される。また、各紙幣収納部２３４、２３６、２３８にはそれぞれ紙幣繰出機構２３５、２３７、２３９が設けられており、これらの紙幣収納部２３４、２３６、２３８に収納されている紙幣は、各紙幣繰出機構２３５、２３７、２３９により接続搬送部２３０ｂを介して周回搬送部２３０ａ側へ１枚ずつ繰り出される。
【００４０】
次に、硬貨処理ユニット２５０の構成について説明する。図２及び図４に示すように、硬貨処理ユニット２５０は、略直方体形状の筐体２５１と、筐体２５１の前面側に設けられた硬貨受入部２５２と、筐体２５１の前面側において硬貨受入部２５２の下方に設けられた硬貨払出部２６６と、筐体２５１の内部で硬貨を収納するとともに収納されている硬貨を繰出可能な複数の収納繰出部２６０とを備えている。
【００４１】
硬貨受入部２５２は、硬貨投入口を介して受け入れた硬貨を１層１列状態で１枚ずつ筐体２５１内に取り込む。具体的には、硬貨受入部２５２には繰出ベルト等からなる硬貨繰出機構２５３（図５参照）が設けられており、硬貨受入部２５２に受け入れられた硬貨を検知すると、この硬貨繰出機構２５３が駆動されることにより当該硬貨繰出機構２５３によって硬貨が筐体２５１の内部に１枚ずつ繰り出される。また、図４に示すように、硬貨受入部２５２には、当該硬貨受入部２５２により筐体２５１の内部に繰り出された硬貨を搬送する入金搬送部２５４が接続されている。
【００４２】
図４に示すように、入金搬送部２５４の途中には、硬貨の金種、真偽、正損、表裏、搬送状態等の識別を行う識別部２５６と、分岐部２５８とがそれぞれ設けられている。分岐部２５８は、識別部２５６による硬貨の識別結果に基づいて、リジェクト硬貨等の、硬貨払出部２６６から払い出されるべき硬貨を入金搬送部２５４から分岐させて出金搬送部２６２へ案内する。
【００４３】
一方、正常硬貨等の筐体２５１内に収納されるべき硬貨は入金搬送部２５４により各収納繰出部２６０へ搬送される。収納繰出部２６０は、硬貨を金種別に収納するとともに、収納されている硬貨を繰出可能となるよう構成されている。例えば、日本国で流通している硬貨の６つの金種（５００円硬貨、１００円硬貨、５０円硬貨、１０円硬貨、５円硬貨及び１円硬貨）に対応して６つの収納繰出部２６０が設けられており、入金搬送部２５４の上流側（すなわち、図４における下側）から低額順に各収納繰出部２６０に硬貨が金種毎に収納される。また、収納繰出部２６０には、当該収納繰出部２６０に収納された硬貨を１枚ずつ出金搬送部２６２に繰り出す硬貨繰出機構（図示せず）が設けられている。
【００４４】
出金搬送部２６２は、収納繰出部２６０から繰り出された硬貨を硬貨払出部２６６へ搬送する。また、出金搬送部２６２は、分岐部２５８により入金搬送部２５４から分岐させられたリジェクト硬貨等を硬貨払出部２６６へ搬送する。
【００４５】
＜釣銭機２００の制御系の構成＞
次に、釣銭機２００の制御系の構成について図５を用いて説明する。釣銭機２００の紙幣処理ユニット２１０は、紙幣制御部２１０ａに通信部２４０と、搬送部２３０と、識別部２３２と、各紙幣繰出機構（紙幣繰出機構２２１、２３５、２３７、２３９）と、カセット装着部２２６とを接続した構成を有する。
【００４６】
通信部２４０は、硬貨処理ユニット２５０と通信を行う通信インタフェースである。紙幣制御部２１０ａは、識別部２３２による識別結果を用いて搬送部２３０及び各紙幣繰出機構を駆動することで紙幣の搬送を行い、紙幣の搬送結果を硬貨処理ユニット２５０に送信する。また、紙幣制御部２１０ａは、カセット装着部２２６からカセットの装着状況を取得し、硬貨処理ユニット２５０に送信する。
【００４７】
釣銭機２００の硬貨処理ユニット２５０は、上位制御部２０２に通信部２０３、操作表示部２０４、記憶部２０５及び硬貨制御部２５０ａを接続し、硬貨制御部２５０ａに硬貨繰出機構２５３、入金搬送部２５４、識別部２５６、分岐部２５８、各収納繰出部２６０及び出金搬送部２６２を接続した構成を有する。
【００４８】
硬貨制御部２５０ａは、識別部２５６による識別結果を用いて硬貨繰出機構２５３、入金搬送部２５４、分岐部２５８、各収納繰出部２６０及び出金搬送部２６２を駆動することで硬貨の搬送を行い、硬貨の搬送結果を上位制御部２０２送信する。
【００４９】
通信部２０３は、紙幣処理ユニット２１０やＰＯＳレジ２９０と通信を行う通信インタフェースである。操作表示部２０４は、硬貨処理ユニット２５０の筐体２５１の上面に設けられたタッチパネル等であり、操作者が操作するための操作画面や、紙幣処理ユニット２１０及び硬貨処理ユニット２５０の各々に収納されている貨幣の在高に係る情報を操作表示部２０４に表示する。操作者は、操作表示部２０４に表示された操作画面における操作ボタンに指を触れることによって、上位制御部２０２に様々な指令を入力することができる。
【００５０】
記憶部２０５は、フラッシュメモリ等の不揮発性メモリ又はハードディスク装置等の二次記憶媒体等からなる記憶デバイスであり、在高データ２０５ａ及び設定データ２０５ｂを記憶する。在高データ２０５ａは、紙幣処理ユニット２１０及び硬貨処理ユニット２５０の各々に収納されている貨幣の在高に係るデータである。
【００５１】
設定データ２０５ｂは、釣銭機２００の動作に係る設定を示すデータである。選択可能な動作モードは、この設定データ２０５ｂに含まれる。また、設定データ２０５ｂには、ＰＯＳレジ２９０から受信するコマンドに対してダミー応答を行うか否かが示されている。ダミー応答を行うか否かについては、全てのコマンドに対してダミー応答を行うよう一括して設定してもよいし、コマンド毎に設定してもよい。また、特定の機能に関するコマンド群に対してダミー応答を行うなどの設定も可能である。
【００５２】
上位制御部２０２は、ＰＯＳレジ２９０から入金要求を受信した場合に、硬貨制御部２５０ａ及び紙幣制御部２１０ａに貨幣の投入の受付を指示する。硬貨制御部２５０ａ及び紙幣制御部２１０ａは、上位制御部２０２からの指示を受けて投入された貨幣を対応する収納部に搬送することで入金処理を行い、入金処理結果を上位制御部２０２に送信する。
【００５３】
上位制御部２０２は、入金処理結果を硬貨制御部２５０ａ及び紙幣制御部２１０ａから受信したならば、在高データ２０５ａを更新し、投入された貨幣の合計金額を求め、投入貨幣の金額情報としてＰＯＳレジ２９０に送信する。
【００５４】
また、上位制御部２０２は、出金する貨幣の金種及び枚数が指定された出金要求をＰＯＳレジ２９０から受信したならば、硬貨制御部２５０ａ及び紙幣制御部２１０ａに貨幣の出金を指示する。硬貨制御部２５０ａ及び紙幣制御部２１０ａは、上位制御部２０２からの指示を受けて指定された金種及び枚数の貨幣を収納部から繰り出して出金処理し、出金処理結果を上位制御部２０２に送信する。
【００５５】
上位制御部２０２は、出金処理結果を硬貨制御部２５０ａ及び紙幣制御部２１０ａから受信したならば、在高データ２０５ａを更新し、釣銭の出金が正常に行われたことを示す通知をＰＯＳレジ２９０に送信する。
【００５６】
また、上位制御部２０２は、ＰＯＳレジ２９０からのコマンドに対してダミー応答を返す機能を有する。上位制御部２０２は、ダミー応答に係る処理部として、設定管理部２０２ａ、判定部２０２ｂ、コマンド処理部２０２ｃ、正常応答通知部２０２ｄ及びダミー応答通知部２０２ｅを有する。
【００５７】
設定管理部２０２ａは、釣銭機２００の各種設定を行う処理部である。具体的には、動作モードの追加や削除、各収納部における貨幣の収納数が適正範囲内であるか否かを判定するための閾値の変更、釣銭機２００の各種ボタンの有効又は無効の設定、どのコマンドに対してダミー応答を行うかの設定などを行うことができる。設定管理部２０２ａは、これらの設定の内容を設定データ２０５ｂに登録して管理する。
【００５８】
判定部２０２ｂは、ＰＯＳレジ２９０からコマンドを受信した場合に、設定データ２０５ｂを参照し、コマンドを実行して実行結果を応答するか、コマンドを実行することなくダミー応答を返すかを判定する処理部である。
【００５９】
コマンド処理部２０２ｃは、判定部２０２ｂによりコマンドを実行して実行結果を応答すると判定された場合に、ＰＯＳレジ２９０から受信したコマンドを実行する処理を行う処理部である。
【００６０】
正常応答通知部２０２ｄは、判定部２０２ｂによりコマンドを実行して実行結果を応答すると判定され、コマンド処理部２０２ｃによりコマンドを実行された場合に、実行結果を応答としてＰＯＳレジ２９０に通知する処理部である。
【００６１】
ダミー応答通知部２０２ｅは、判定部２０２ｂによりコマンドを実行することなくダミー応答を返すと判定された場合に、コマンドの実行を完了した旨の擬似的な正常応答をＰＯＳレジ２９０に通知する処理部である。
【００６２】
次に、釣銭機２００の処理手順について説明する。図６は、釣銭機２００の処理手順を説明するフローチャートである。まず、釣銭機２００がＰＯＳレジ２９０からコマンドを受信すると（ステップＳ１０１）、判定部２０２ｂは、設定データ２０５ｂを参照し、受信したコマンドがダミー応答の対象のコマンドであるか否かを判定する（ステップＳ１０２）。
【００６３】
判定の結果、ダミー応答の対象のコマンドでなければ（ステップＳ１０２；Ｎｏ）、コマンド処理部２０２ｃが受信したコマンドを実行し（ステップＳ１０３）、正常応答通知部２０２ｄが実行結果を応答としてＰＯＳレジ２９０に通知し（ステップＳ１０４）、処理を終了する。
【００６４】
一方、判定の結果、ダミー応答の対象のコマンドであるならば（ステップＳ１０２；Ｙｅｓ）、コマンド処理部２０２ｃによるコマンドの実行を行うことなく、ダミー応答通知部２０２ｅがダミー応答をＰＯＳレジ２９０に通知し（ステップＳ１０５）、処理を終了する。
【００６５】
次に、応答の制御の変形例について説明する。判定部２０２ｂは、コマンドの種別のみではなく、各種の条件を設けてダミー応答を行うか否かを異ならせることができる。
【００６６】
例えば、開店時などにＰＯＳレジ２９０を起動すると、ＰＯＳレジ２９０は釣銭機２００に動作モードの設定変更を要求するコマンドを自動送信する。このように自動送信されたコマンドについては、既に説明したようにダミー応答を行うことが好ましいのであるが、操作者がＰＯＳレジ２９０を操作し、釣銭機２００に対して動作モードの設定変更を要求するコマンドを送信させた場合には、実際に動作モードの変更を行うことが求められる。
【００６７】
そのため、判定部２０２ｂは、ＰＯＳレジ２９０から受信したコマンドがＰＯＳレジ２９０の起動時に自動送信されるコマンドであることを条件として、ダミー応答をＰＯＳレジ２９０に通知する。
【００６８】
具体的な条件としては、ＰＯＳレジ２９０からコマンドを受信する時刻を用いることができる。すなわち、開店前の所定の時間帯に受信するコマンドについては、ＰＯＳレジ２９０の起動時に自動送信されるコマンドであると判定するのである。
【００６９】
また、ＰＯＳレジ２９０の状態を条件として用いることもできる。ＰＯＳレジ２９０の状態は、釣銭機２００に状態取得部を設けて取得すればよい。また、ＰＯＳレジ２９０との間で送受信するコマンドの順序などからＰＯＳレジ２９０の状態を特定してもよい。
【００７０】
ＰＯＳレジ２９０は、自装置の起動時の一連の処理として、釣銭機２００に起動コマンドを自動送信して釣銭機２００を立ち上げ、その後、動作モードの設定変更を要求するコマンドを自動送信する。かかる構成では、釣銭機２００が起動コマンドを受信してから所定時間内に動作モードの設定変更を要求するコマンドを受信したならば、起動時に自動送信されたコマンドであると判定できる。
【００７１】
なお、釣銭機２００は、ＰＯＳレジ２９０からの起動コマンドを受信して立ち上がるものに限らず、自装置に対する操作によって立ち上がるものがある。釣銭機２００が自装置に対する操作によって立ち上がる場合には、ＰＯＳレジ２９０に起動を通知するコマンドを送信し、ＰＯＳレジ２９０が釣銭機２００から起動を通知するコマンドを受信した場合に動作モードの設定変更を要求するコマンドを自動送信することになる。かかる構成では、釣銭機２００は、ＰＯＳレジ２９０に対して起動を通知するコマンドを送信してから所定時間内に動作モードの設定変更を要求するコマンドを受信したならば、起動時に自動送信されたコマンドであると判定する。
【００７２】
図７は、条件に基づく応答の制御についての説明図である。図７（ｂ１）に示したように、ＰＯＳレジ２９０は、起動時の動作として釣銭機２００に対して動作モードＡへの設定変更を要求するコマンドを自動送信する。釣銭機２００は、時刻、ＰＯＳレジ２９０の状態、コマンドの受信順序などから自動送信されたコマンドであると判定し、動作モードＣの選択を維持したまま、ＰＯＳレジ２９０に対して動作モードＡへの設定変更を完了した旨の擬似的な正常応答（ダミー応答）を返す。
【００７３】
一方、図（ｂ２）では、ＰＯＳレジ２９０は、操作者による操作に基づいて釣銭機２００に動作モードＡへの設定変更を要求するコマンドを送信している。釣銭機２００は、時刻、ＰＯＳレジ２９０の状態、コマンドの受信順序などから自動送信されたコマンドではないと判定し、動作モードＡへの変更を実行し、動作モードＡへの設定変更を完了した旨の通常の通知を応答として返す。なお、動作モードＡへの変更に失敗した場合には、動作モードＡへの設定変更に失敗した旨の応答が返されることになる。
【００７４】
次に、条件に基づく応答の制御を行う場合の釣銭機２００の処理手順について説明する。図８は、条件に基づく応答の制御を行う場合の釣銭機２００の処理手順を説明するフローチャートである。まず、釣銭機２００がＰＯＳレジ２９０からコマンドを受信すると（ステップＳ２０１）、判定部２０２ｂは、設定データ２０５ｂを参照し、受信したコマンドがダミー応答の対象のコマンドであるか否かを判定する（ステップＳ２０２）。
【００７５】
判定の結果、ダミー応答の対象のコマンドでなければ（ステップＳ２０２；Ｎｏ）、コマンド処理部２０２ｃが受信したコマンドを実行し（ステップＳ２０３）、正常応答通知部２０２ｄが実行結果を応答としてＰＯＳレジ２９０に通知し（ステップＳ２０４）、処理を終了する。
【００７６】
一方、判定の結果、ダミー応答の対象のコマンドであるならば（ステップＳ２０２；Ｙｅｓ）、判定部２０２ｂは、ダミー応答の条件が成立しているか否かをさらに判定する（ステップＳ２０５）。
【００７７】
判定の結果、ダミー応答の条件が成立していなければ（ステップＳ２０５；Ｎｏ）、コマンド処理部２０２ｃが受信したコマンドを実行し（ステップＳ２０３）、正常応答通知部２０２ｄが実行結果を応答としてＰＯＳレジ２９０に通知し（ステップＳ２０４）、処理を終了する。
【００７８】
そして、ダミー応答の条件が成立した場合には（ステップＳ２０５；Ｙｅｓ）、コマンド処理部２０２ｃによるコマンドの実行を行うことなく、ダミー応答通知部２０２ｅがダミー応答をＰＯＳレジ２９０に通知し（ステップＳ２０６）、処理を終了する。
【００７９】
次に、応答履歴の管理と利用について説明する。図９は、応答履歴の管理と利用についての説明図である。釣銭機２００がダミー応答として擬似的な正常応答を行うこととすると、ＰＯＳレジ２９０側では釣銭機２００の実際の状態を判別することができない。
【００８０】
そこで、図９に示すように、釣銭機２００は、自装置の応答の履歴を応答履歴データ２０５ｃとして記憶部２０５に格納する。この応答履歴データ２０５ｃには、釣銭機２００が行った応答の日時と応答の内容に加え、ダミー応答であるか否かが含まれる。さらに、店舗に複数の釣銭機２００を設置している場合には、各釣銭機２００がそれぞれ自装置の応答履歴データ２０５ｃを記憶部２０５に格納して管理する。
【００８１】
このように複数の釣銭機２００の応答履歴データ２０５ｃを管理し、応答履歴データ２０５ｃを比較分析すれば、店舗内の複数の釣銭機２００が適正に運用されているか否かの評価を行うことができる。
【００８２】
例えば、各釣銭機２００が同様に正常応答を返している場合であっても、一部の釣銭機２００がダミー応答を返し、他の釣銭機２００がコマンドの実行結果を応答として返しているならば、釣銭機２００の設定に不整合が生じているとの判定が可能であり、店舗の担当者に報知を行うことができる。
【００８３】
上述してきたように、本実施例によれば、釣銭機２００は、ＰＯＳレジ２９０からコマンドを受信し、受信したコマンドに応じた処理を行わない場合に、コマンドに応じた処理を完了した旨の擬似的な正常応答をＰＯＳレジ２９０に送信する。かかる構成により、釣銭機２００の機能改修（新規機能追加を含む）に伴ってＰＯＳレジ２９０の改修を行わない場合であっても、効率良く不測のトラブルを未然に防止することができる。
【００８４】
また、ＰＯＳレジ２９０が起動時に自動送信するコマンドであることを条件としてダミー応答を行う構成とすることで、同一のコマンドであっても操作者の操作に基づいて送信された場合にはダミー応答を行わず、通常の処理を実行することができる。ＰＯＳレジ２９０が起動時に自動送信したコマンドであるか否かは、時刻やＰＯＳレジ２９０の状態から判定することができる。
【００８５】
なお、上記の実施例では、釣銭機２００が上位装置であるＰＯＳレジ２９０にダミー応答を行う構成について説明を行ったが、本発明は釣銭機に限らず、上位装置から受信したコマンドを処理する任意の装置に適用することができる。
【００８６】
また、上記の実施例では、本発明をコンビニエンスストアやスーパーマーケット等の貨幣処理システムに適用した場合を示したが、本発明はこれに限定されるものではなく、釣銭の出金を行う任意の貨幣処理システムに適用することができる。
【００８７】
また、上記の実施例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【００８８】
本発明の釣銭機、貨幣処理システム及び動作設定方法は、釣銭機の機能改修に伴って上位装置の改修を行わない場合に、効率良く不測のトラブルを未然に防止することに有用である。
【符号の説明】
【００８９】
２００  釣銭機
２０２  上位制御部
２０２ａ  設定管理部
２０２ｂ  判定部
２０２ｃ  コマンド処理部
２０２ｄ  正常応答通知部
２０２ｅ  ダミー応答通知部
２０３、２４０、２９２  通信部
２０４  操作表示部
２０５、２９５  記憶部
２０５ａ  在高データ
２０５ｂ  設定データ
２０５ｃ  応答履歴データ
２１０  紙幣処理ユニット
２１０ａ  紙幣制御部
２１２、２５１  筐体
２２０  紙幣払出部
２２１、２３５、２３７、２３９  紙幣繰出機構
２２２  紙幣受入部
２２４  出金リジェクト部
２２６  カセット装着部
２３０  搬送部
２３０ａ  周回搬送部
２３０ｂ  接続搬送部
２３２、２５６  識別部
２３４、２３６、２３８  紙幣収納部
２５０  硬貨処理ユニット
２５０ａ  硬貨制御部
２５２  硬貨受入部
２５３  硬貨繰出機構
２５４  入金搬送部
２５８  分岐部
２６０  収納繰出部
２６２  出金搬送部
２６６  硬貨払出部
２９０  ＰＯＳレジ
２９３、２９３ａ  表示部
２９４  操作部
２９８  バーコードリーダ
３００  収納カセット
【図１】
2018185755.tif 000003
【図２】
2018185755.tif 000004
【図３】
2018185755.tif 000005
【図４】
2018185755.tif 000006
【図５】
2018185755.tif 000007
【図６】
2018185755.tif 000008
【図７】
2018185755.tif 000009
【図８】
2018185755.tif 000010
【図９】
2018185755.tif 000011